【手続補正書】
【提出日】平成18年7月27日(2006.7.27)
【手続補正１】
【補正対象書類名】明細書
【補正対象項目名】特許請求の範囲
【補正方法】変更
【補正の内容】
【特許請求の範囲】
【請求項１】  （ａ）広告ウェブサイトにおけるユーザの以前の活動に関するフィードバックを受信するステップと
（ｂ）前記ユーザに対し広告コンテンツを表示する要求を受信するステップと、
（ｃ）前記広告ウェブサイトにおける前記ユーザの以前の活動に関する前記受信したフィードバックに基づいて、前記要求に応答して、表示するための広告コンテンツを選択するステップと、
を備えることを特徴とするオンライン再ターゲット化広告選択方法。
【請求項２】  前記広告コンテンツを表示する要求が関連ウェブサイトからの再ダイレクトメッセージを介して前記ユーザから受信される請求項１に記載の方法。
【請求項３】  前記ユーザの以前の活動に関する前記受信したフィードバックは前記広告ウェブサイトから受信した電子メールメッセージであり、該電子メールメッセージは前記広告ウェブサイトにおける前記ユーザの以前の活動のリストを提供する請求項１に記載の方法。
【請求項４】  前記ユーザの以前の活動に関する前記受信したフィードバックは前記広告ウェブサイトから受信したファイル転送メッセージであり、該ファイル転送メッセージは前記広告ウェブサイトにおける前記ユーザの以前の活動のリストを提供する請求項１に記載の方法。
【請求項５】  前記ユーザの以前の活動に関する前記受信したフィードバックは前記広告ウェブサイトからの再ダイレクトメッセージに含まれるタグであり、該タグは特定の広告ウェブページを識別し、前記広告ウェブサイトにおける前記ユーザの以前の活動を示す請求項１に記載の方法。
【請求項６】  前記ユーザの以前の活動に関する前記受信したフィードバックは前記ユーザと前記広告ウェブサイトとの間に配置されたプロキシサーバにより提供され、該プロキシサーバは前記広告ウェブサイトにおける前記ユーザの以前の活動のリストを提供する請求項１に記載の方法。
【請求項７】  前記以前の活動の少なくとも一つは前記広告ウェブサイトでどのウェブページを訪問したかである請求項１に記載の方法。
【請求項８】  前記以前の活動の少なくとも一つは前記ユーザが前記広告ウェブサイトで購入したか否かである請求項１に記載の方法。
【請求項９】  前記以前の活動の少なくとも一つは前記ユーザが前記広告ウェブサイトに登録されたか否かである請求項１に記載の方法。
【請求項１０】  前記以前の活動は保存されたテーブル内にリストされる請求項１に記載の方法。
【請求項１１】  再ターゲット化された広告のリストは前記保存されたテーブルから作成される請求項１０に記載の方法。
【請求項１２】  再ターゲット化広告は前記ユーザが製品を見直しするため最近少なくとも一回以上前記広告ウェブサイトを訪問したが該製品を購入しなかった場合、前記ユーザのために作成される請求項１１に記載の方法。
【請求項１３】  前記ユーザのために作成された前記再ターゲット化広告は前記広告ウェブサイトで前記製品を購入するクーポンである請求項１２に記載の方法。
【請求項１４】  再ターゲット化広告は前記ユーザが前記広告ウェブサイトで過去の所定時間以前に購入したが前記広告ウェブサイトで過去の前記所定時間後に購入しなかった場合、前記ユーザのために作成される請求項１１に記載の方法。
【請求項１５】  前記再ターゲット化広告は前記広告ウェブサイトを特定するリマインダメッセージである請求項１４に記載の方法。
【請求項１６】  再ターゲット化広告は前記ユーザが前記広告ウェブサイトで過去の所定期間内に所定量の購入をした場合前記ユーザのために作成される請求項１１に記載の方法。
【請求項１７】  前記再ターゲット化広告は前記広告ウェブサイトの最良の顧客への感謝を示すメッセージである請求項１６に記載の方法。
【請求項１８】  前記広告コンテンツは広告バナーである請求項１に記載の方法。
【請求項１９】  広告ウェブサイトに関連する広告コンテンツを保存するよう構成された記憶装置と、
前記広告ウェブサイトとユーザとを通信するよう構成された通信装置と、
前記広告ウェブサイトで前記ユーザの以前の活動に関するフィードバックを前記広告ウェブサイトから前記通信装置を介して受信するよう構成され、かつ前記ユーザから広告コンテンツを表示する要求を前記通信装置を介して受信するよう構成され、さらに前記ユーザの要求に応じて、前記広告ウェブサイトにおける前記ユーザの以前の活動に関する前記受信されたフィードバックに基づき前記記憶装置から前記ユーザに配送される広告コンテンツを選択するよう構成された広告サーバと、
を備えたことを特徴とするオンライン再ターゲット化広告選択コンピュータシステム。
【請求項２０】  広告コンテンツを表示する前記要求は関連ウェブサイトからの再ダイレクトメッセージを介して前記ユーザから受信される請求項１９に記載のシステム。
【請求項２１】  前記ユーザの以前の活動に関する前記受信したフィードバックは前記広告ウェブサイトから受信した電子メールメッセージであり、該電子メールメッセージは前記広告ウェブサイトにおける前記ユーザの以前の活動のリストを提供する請求項１９に記載のシステム。
【請求項２２】  前記ユーザの以前の活動に関する前記受信したフィードバックは前記広告ウェブサイトから受信したファイル転送プロトコルメッセージであり、該ファイル転送プロトコルメッセージは前記広告ウェブサイトにおける前記ユーザの以前の活動のリストを提供する請求項１９に記載のシステム。
【請求項２３】  前記ユーザの以前の活動に関する前記受信したフィードバックは前記広告ウェブサイトからの再ダイレクトメッセージに含まれるタグであり、該タグは特定の広告ウェブページを識別し、前記広告ウェブサイトにおける前記ユーザの以前の活動を示す請求項１９に記載のシステム。
【請求項２４】  前記ユーザの以前の活動に関する前記受信したフィードバックは前記ユーザと前記広告ウェブサイトとの間に配置されたプロキシサーバにより提供され、該プロキシサーバは前記広告ウェブサイトにおける前記ユーザの以前の活動のリストを提供する請求項１９に記載のシステム。
【請求項２５】  前記以前の活動の少なくとも一つは前記広告ウェブサイトでどのウェブページを訪問したかである請求項１９に記載のシステム。
【請求項２６】  前記以前の活動の少なくとも一つは前記ユーザが前記広告ウェブサイトで購入したか否かである請求項１９に記載のシステム。
【請求項２７】  前記以前の活動の少なくとも一つは前記ユーザが前記広告ウェブサイトに登録されたか否かである請求項１９に記載のシステム。
【請求項２８】  前記以前の活動は保存されたテーブル内にリストされる請求項１９に記載のシステム。
【請求項２９】  再ターゲット化広告のリストは前記保存されたテーブルから作成される請求項２８に記載のシステム。
【請求項３０】  再ターゲット化広告は前記ユーザが製品を見直しするため最近少なくとも一回以上前記広告ウェブサイトを訪問したが該製品を購入しなかった場合、前記ユーザのために作成される請求項２９に記載のシステム。
【請求項３１】  前記ユーザのために作成された前記再ターゲット化された広告は前記広告ウェブサイトにおける前記製品を購入するクーポンである請求項３０に記載のシステム。
【請求項３２】  再ターゲット化広告は前記ユーザが前記広告ウェブサイトで過去の所定時間以前に購入したが前記広告ウェブサイトで過去の前記所定時間後に購入しなかった場合、前記ユーザのために作成される請求項２９に記載のシステム。
【請求項３３】  前記再ターゲット化広告は前記広告ウェブサイトを特定するリマインダメッセージである請求項３２に記載のシステム。
【請求項３４】  再ターゲット化広告は前記ユーザが前記広告ウェブサイトで過去の所定期間以内に所定量を購入した場合、前記ユーザのために作成される請求項２９に記載のシステム。
【請求項３５】  前記再ターゲット化広告は前記広告ウェブサイトの最良の顧客に対して感謝を示すメッセージである請求項３４に記載のシステム。
【請求項３６】  前記広告コンテンツはバナーである請求項１９に記載のシステム。
【請求項３７】  （ａ）広告ウェブサイトにおけるユーザの以前の活動に関するフィードバックを受信するステップと
（ｂ）前記ユーザに対し広告コンテンツを表示する要求を受信するステップと、
（ｃ）前記広告ウェブサイトにおける前記ユーザの以前の活動に関する前記受信したフィードバックに基づいて、前記要求に応答して、表示するための広告コンテンツを選択するステップと、
をプロセッサにより実行し得るよう適合された命令を保存することを特徴とする機械可読媒体。
【請求項３８】  広告コンテンツを表示する前記要求は関連ウェブサイトから再ダイレクトメッセージを介して前記ユーザから受信される請求項３７に記載の媒体。
【請求項３９】  前記ユーザの以前の活動に関する前記受信されたフィードバックは前記広告ウェブサイトから受信された電子メールメッセージであり、該電子メールメッセージは前記広告ウェブサイトにおける前記ユーザの以前の活動のリストを提供する請求項３７に記載の媒体。
【請求項４０】  前記ユーザの以前の活動に関する前記受信したフィードバックは前記広告ウェブサイトから受信したファイル転送プロトコルメッセージであり、該ファイル転送プロトコルメッセージは前記広告ウェブサイトにおける前記ユーザの以前の活動のリストを提供する請求項３７に記載の媒体。
【請求項４１】  前記ユーザの以前の活動に関する前記受信したフィードバックは前記広告ウェブサイトからからの再ダイレクトメッセージに含まれるタグであり、該タグは特定の広告ウェブページを識別し、前記広告ウェブサイトにおける前記ユーザの以前の活動を示す請求項３７に記載の媒体。
【請求項４２】  前記ユーザの以前の活動に関する前記受信したフィードバックは前記ユーザと前記広告ウェブサイトとの間に配置されるプロキシサーバにより提供され、該プロキシサーバは前記広告ウェブサイトにおける前記ユーザの以前の活動のリストを提供する請求項３７に記載の媒体。
【請求項４３】  前記以前の活動の少なくとも一つは前記広告ウェブサイトでどのウェブページを訪問したかである請求項３７に記載の媒体。
【請求項４４】  前記以前の活動の少なくとも一つは前記ユーザが前記広告ウェブサイトで購入したか否かである請求項３７に記載の媒体。
【請求項４５】  前記以前の活動の少なくとも一つは前記ユーザが前記広告ウェブサイトに登録されたか否かである請求項３７に記載の媒体。
【請求項４６】  前記以前の活動は保存されたテーブル内にリストされる請求項３７に記載の媒体。
【請求項４７】  再ターゲット化広告のリストは前記保存されたテーブルから作成される請求項４６に記載の媒体。
【請求項４８】  再ターゲット化広告は前記ユーザが製品を見直しするため前記広告ウェブサイトを最近１回以上訪問したが該製品を購入しなかった場合、前記ユーザに対して作成される請求項４７に記載の媒体。
【請求項４９】  前記ユーザのための前記再ターゲット化広告は前記広告ウェブサイトで前記製品を購入するクーポンである請求項４８に記載の媒体。
【請求項５０】  再ターゲット化広告は前記ユーザが前記広告ウェブサイトで過去の所定期間より以前に購入したが、前記広告ウェブサイトで前記過去の所定期間後に購入しなかった場合、前記ユーザに対して作成される請求項４７に記載の媒体。
【請求項５１】  前記再ターゲット化広告は前記広告ウェブサイトを特定化するリマインダメッセージである請求項５０に記載の媒体。
【請求項５２】  再ターゲット化広告は前記ユーザが前記広告ウェブサイトで過去の所定期間内に所定量を購入した場合、前記ユーザに対して作成される請求項５１に記載の媒体。
【請求項５３】  前記再ターゲット化広告は前記広告ウェブサイトの最良の顧客への感謝を示すメッセージである請求項５２に記載の媒体。
【請求項５４】  前記広告コンテンツは広告バナーである請求項３７に記載の媒体。
【請求項５５】  （ａ）広告ウェブサイトにおけるユーザの以前の活動に関するフィードバックを受信する手段と
（ｂ）前記ユーザに対し広告コンテンツを表示する要求を受信する手段と、
（ｃ）前記広告ウェブサイトにおける前記ユーザの以前の活動に関する前記受信したフィードバックおよび前記要求に応答して、活動リストに基づいて表示するための広告コンテンツを選択する手段と、
を備えることを特徴とするオンライン広告選択方法。